(57)【要約】【課題】洗濯脱水乾燥が終了すれば報知し、携帯報知器自身を洗濯脱水乾燥させないこと。【解決手段】携帯報知器１０００は、第１の通信手段１００と、第１の制御手段１１０と、第１の報知手段１２０とを具備し、洗濯脱水乾燥機２０００は、洗濯脱水乾燥促進手段９００と、第２の通信手段２００と、第２の制御手段２１０と、第２の報知手段２２０と、開始手段２３０とを具備して、洗濯脱水乾燥が終了した時に遠距離通信で携帯報知器１０００に信号を送り第１の報知手段１２０から報知し、洗濯脱水乾燥を開始する以前には、第１および第２の通信手段（１１０および２１０）同士が、近距離通信で通信できたら、第１、第２の報知手段（１２０、２２０）から報知する。【選択図】図１
2007037616.tif 000002
【特許請求の範囲】
【請求項１】
携帯報知器と、洗濯脱水乾燥機から構成され、
前記携帯報知器は、第１の通信手段と、第１の制御手段と、第１の報知手段とを具備し、前記洗濯脱水乾燥機は、洗濯脱水乾燥促進手段と、第２の通信手段と、第２の制御手段と、第２の報知手段と、定期的あるいは一定時刻を計測する時計手段とを具備して、
前記洗濯脱水乾燥機は、前記洗濯脱水乾燥促進手段による洗濯脱水乾燥が終了した時点で、前記第２の制御手段が第２の通信手段を介して、遠距離通信（例えば数十メートル以内で通信可能な）で前記携帯報知器に信号を送り、前記第１の報知手段から報知を行い、
洗濯脱水乾燥を開始する以前には、前記時計手段によって計測される定期的あるいは一定時刻ごとに前記第１の通信手段と、前記第２の通信手段とが、お互いに通信を行い、近距離通信（例えば数十センチ以内で通信可能な）で通信できた場合には、前記第１の報知手段あるいは前記第２の報知手段から報知する洗濯脱水乾燥機モニターシステム。
【請求項２】
携帯報知器と、洗濯脱水乾燥機から構成され、
前記携帯報知器は、第１の通信手段と、第１の制御手段と、第１の報知手段とを具備し、前記洗濯脱水乾燥機は、洗濯脱水乾燥促進手段と、第２の通信手段と、第２の制御手段と、第２の報知手段と、洗濯脱水乾燥を開始させるための開始手段とを具備して、
前記洗濯脱水乾燥機は、前記洗濯脱水乾燥促進手段による洗濯脱水乾燥が終了した時点で、前記第２の制御手段が第２の通信手段を介して、遠距離通信（例えば数十メートル以内で通信可能な）で前記携帯報知器に信号を送り、前記第１の報知手段から報知を行い、
前記開始手段が押されて洗濯脱水乾燥を開始しようとした時点で、前記第１の通信手段と、前記第２の通信手段とが、お互いに通信を行い、近距離通信（例えば数十センチ以内で通信可能な）で通信できた場合には、前記第１の報知手段あるいは前記第２の報知手段から報知する洗濯脱水乾燥機モニターシステム。
【請求項３】
携帯報知器と、洗濯脱水乾燥機から構成され、
前記携帯報知器は、第１の通信手段と、第１の制御手段と、第１の報知手段とを具備し、前記洗濯脱水乾燥機は、洗濯脱水乾燥促進手段と、第２の通信手段と、第２の制御手段と、第２の報知手段と、衣類を出し入れするための洗濯物取り出し口と、その洗濯物取り出し口を閉じる蓋と、前記蓋の開け閉めを探知する開閉スイッチとを具備して、
前記洗濯脱水乾燥機は、前記洗濯脱水乾燥促進手段による洗濯脱水乾燥が終了した時点で、前記第２の制御手段が第２の通信手段を介して、遠距離通信（例えば数十メートル以内で通信可能な）で前記携帯報知器に信号を送り、前記第１の報知手段から報知を行い、
前記蓋が閉じられたことを、前記開閉スイッチで探知した時点で、前記第１の通信手段と、前記第２の通信手段とが、お互いに通信を行い、近距離通信（例えば数十センチ以内で通信可能な）で通信できた場合には、前記第１の報知手段あるいは前記第２の報知手段から報知する洗濯脱水乾燥機モニターシステム。
【請求項４】
前記第１の通信手段と、前記第２の通信手段とが、お互いに通信を行い、近距離通信（例えば数十センチ以内で通信可能な）で通信できた場合には、前記第１の報知手段あるいは前記第２の報知手段からの前記報知に加えて、前記第２の制御手段が洗濯脱水乾燥の動作を中止する請求項２記載の洗濯脱水乾燥機モニターシステム。
【請求項５】
請求項１〜４記載のいずれかの洗濯脱水乾燥機モニターシステムにおいて、少なくともひとつの動作をコンピュータに実行させるためのプログラム。
【発明の詳細な説明】
【技術分野】
【０００１】
本発明は、衣類などに取り付けて、機器との通信を行う超小型の携帯報知器に関する洗濯脱水乾燥機モニターシステムと、そのプログラムである。
【背景技術】
【０００２】
機器の動作終了情報を通信する技術は既に普及しており、洗濯機から離れていても洗濯終了を別の報知装置から報知するものが提案されており、洗濯脱水乾燥機による洗濯脱水乾燥が終了した時点で、洗濯脱水乾燥機の近くにいなかった場合でも、可能な限りの遠距離通信で、洗濯脱水乾燥終了したことを、その情報を必要している使用者（すなわち携帯報知器を持っている人）に報知することが出来る（例えば特許文献１参照）。ここで用いる携帯報知器は非常に小さく、衣類などに添付して、常時身につけていても気にならないものであり、この携帯報知器を身につけている使用者だけが洗濯脱水乾燥機の作業終了を知ることになる。
【特許文献１】特開平２−１１９８９６号公報
【発明の開示】
【発明が解決しようとする課題】
【０００３】
しかしながら、この方法では、報知手段から洗濯の終了に関する情報を取得することは出来ても、報知器装置自身を間違って洗濯機で洗ってしまうということまでは回避できなかった。特に携帯報知器は非常に小さく、衣類などに添付して、常時身につけていても気にならないものであり、それゆえに、携帯報知器を衣類につけたまま洗濯脱水乾燥機に入れてしまい、そのまま洗濯脱水乾燥させて永久破壊してしまうという課題があった。
【課題を解決するための手段】
【０００４】
そこで、前記課題を解決するために、本発明の洗濯脱水乾燥機モニターシステムにおいて、携帯報知器と、洗濯脱水乾燥機から構成され、前記携帯報知器は、第１の通信手段と、第１の制御手段と、第１の報知手段とを具備し、前記洗濯脱水乾燥機は、洗濯脱水乾燥促進手段と、第２の通信手段と、第２の制御手段と、第２の報知手段と、定期的あるいは一定時刻を計測する時計手段とを具備して、前記洗濯脱水乾燥機は、前記洗濯脱水乾燥促進手段による洗濯脱水乾燥が終了した時点で、前記第２の制御手段が第２の通信手段を介して、遠距離通信（例えば数十メートル以内で通信可能な）で前記携帯報知器に信号を送り、前記第１の報知手段から報知を行い、洗濯脱水乾燥を開始する以前には、前記時計手段によって計測される定期的あるいは一定時刻ごとに前記第１の通信手段と、前記第２の通信手段とが、お互いに通信を行い、近距離通信（例えば数十センチ以内で通信可能な）で通信できた場合には、前記第１の報知手段あるいは前記第２の報知手段から報知するようにした。
【発明の効果】
【０００５】
これにより、通信手段の通信距離を変更することによって、遠距離通信では洗濯脱水乾燥の作業終了を報知して、近距離通信で携帯報知器を誤って洗濯脱水乾燥させてしまわないように注意を促すといったことが、洗濯脱水乾燥機にたったひとつの通信手段を具備させ、同じく通信距離の変更できる携帯報知器を具備するだけのシンプルなシステム構成で、実現可能となり、洗濯脱水乾燥機内に携帯報知器が存在した場合には、警報を報知するので、誤って衣類などに取り付けたまま洗濯脱水乾燥機で洗濯を開始してしまうことを防止する。
【発明を実施するための最良の形態】
【０００６】
第１の発明は、洗濯脱水乾燥機モニターシステムにおいて、携帯報知器と、洗濯脱水乾燥機から構成され、前記携帯報知器は、第１の通信手段と、第１の制御手段と、第１の報知手段とを具備し、前記洗濯脱水乾燥機は、洗濯脱水乾燥促進手段と、第２の通信手段と、第２の制御手段と、第２の報知手段と、定期的あるいは一定時刻を計測する時計手段とを具備して、前記洗濯脱水乾燥機は、前記洗濯脱水乾燥促進手段による洗濯脱水乾燥が終了した時点で、前記第２の制御手段が第２の通信手段を介して、遠距離通信（例えば数十メートル以内で通信可能な）で前記携帯報知器に信号を送り、前記第１の報知手段から報知を行い、洗濯脱水乾燥を開始する以前には、前記時計手段によって計測される定期的あるいは一定時刻ごとに前記第１の通信手段と、前記第２の通信手段とが、お互いに通信を行い、近距離通信（例えば数十センチ以内で通信可能な）で通信できた場合には、前記第１の報知手段あるいは前記第２の報知手段から報知するようにした。
【０００７】
これにより、洗濯脱水乾燥機による洗濯脱水乾燥が終了した時点で、洗濯脱水乾燥機の近くにいなかった場合でも、可能な限りの遠距離通信で、洗濯脱水乾燥終了したことを、その情報を必要している使用者（すなわち携帯報知器を持っている人）に報知することが出来る。
【０００８】
ここで用いる携帯報知器は非常に小さく、衣類などに添付して、常時身につけていても気にならないものであり、以上のように、この携帯報知器を身につけている使用者だけが洗濯脱水乾燥機の作業終了を知ることになる。
【０００９】
しかしながら、その一方で、余りに小型であるがゆえに、携帯報知器を衣類につけたまま洗濯を開始してしまい、永久破壊してしまうという大きな課題があるので、洗濯を開始する前に、洗濯脱水乾燥機内に携帯報知器の存在を探知して、探知した場合には、警報を報知するようにした。これにより、誤って衣類などに取り付けたまま洗濯脱水乾燥機で洗濯を開始してしまうことも未然に防ぐことが出来るようになった。
【００１０】
第２の発明は、洗濯脱水乾燥機モニターシステムにおいて、携帯報知器と、洗濯脱水乾燥機から構成され、前記携帯報知器は、第１の通信手段と、第１の制御手段と、第１の報知手段とを具備し、前記洗濯脱水乾燥機は、洗濯脱水乾燥促進手段と、第２の通信手段と、第２の制御手段と、第２の報知手段と、洗濯脱水乾燥を開始させるための開始手段とを具備して、前記洗濯脱水乾燥機は、前記洗濯脱水乾燥促進手段による洗濯脱水乾燥が終了した時点で、前記第２の制御手段が第２の通信手段を介して、遠距離通信（例えば数十メートル以内で通信可能な）で前記携帯報知器に信号を送り、前記第１の報知手段から報知を行い、前記開始手段が押されて洗濯脱水乾燥を開始しようとした時点で、前記第１の通信手段と、前記第２の通信手段とが、お互いに通信を行い、近距離通信（例えば数十センチ以内で通信可能な）で通信できた場合には、前記第１の報知手段あるいは前記第２の報知手段から報知するようにした。
【００１１】
これにより、まさに洗濯を開始しようと開始手段を使用者が操作した時に、洗濯脱水乾燥機内に携帯報知器が存在した場合には、その場で使用者への警報を報知するようにした。これにより、誤って衣類などに取り付けたまま洗濯脱水乾燥機で洗濯を開始してしまうことを、その場で報知できるようになった。
【００１２】
第３の発明は、洗濯脱水乾燥機モニターシステムにおいて、携帯報知器と、洗濯脱水乾燥機から構成され、前記携帯報知器は、第１の通信手段と、第１の制御手段と、第１の報知手段とを具備し、前記洗濯脱水乾燥機は、洗濯脱水乾燥促進手段と、第２の通信手段と、第２の制御手段と、第２の報知手段と、衣類を出し入れするための洗濯物取り出し口と、その洗濯物取り出し口を閉じる蓋と、前記蓋の開け閉めを探知する開閉スイッチとを具備して、前記洗濯脱水乾燥機は、前記洗濯脱水乾燥促進手段による洗濯脱水乾燥が終了し
た時点で、前記第２の制御手段が第２の通信手段を介して、遠距離通信（例えば数十メートル以内で通信可能な）で前記携帯報知器に信号を送り、前記第１の報知手段から報知を行い、前記蓋が閉じられたことを、前記開閉スイッチで探知した時点で、前記第１の通信手段と、前記第２の通信手段とが、お互いに通信を行い、近距離通信（例えば数十センチ以内で通信可能な）で通信できた場合には、前記第１の報知手段あるいは前記第２の報知手段から報知するようにした。
【００１３】
これにより、洗濯機のふたを閉じた時に、洗濯脱水乾燥機内に携帯報知器が存在した場合には、その場で使用者への警報を報知するようにした。これにより、誤って衣類などに取り付けたまま洗濯脱水乾燥機に入れてしまって蓋を閉じようとした時点で報知できるようになった。
【００１４】
第４の発明は、特に第２の発明の洗濯脱水乾燥機モニターシステムにおいて、前記第１の通信手段と、前記第２の通信手段とが、お互いに通信を行い、近距離通信（例えば数十センチ以内で通信可能）で通信できた場合には、前記第２の制御手段が洗濯脱水乾燥の進行を中止するようにした。
【００１５】
これにより、携帯報知器が発した警報報知を、使用者が聞き忘れた、あるいは、聞き漏らした場合でも、洗濯脱水乾燥機が洗濯脱水乾燥を行わないので、携帯報知器を破壊から守ることが出来る。
【００１６】
第５の発明は、特に第１〜４いずれかの発明の洗濯脱水乾燥機モニターシステムにおいて、少なくともひとつの動作をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の一部あるいは全てをプログラムとして容易に実現することができる。また記録媒体に記録あるいは、通信回線を用いてプログラム配信することにより、プログラム配布が他の手段に比べて極めて簡単に実現できる。
【００１７】
以下、本発明の実施の形態について、図面を用いて一実施形態について詳細に説明する。なお、この実施の形態によって本発明が限定されるものではない。
【００１８】
（実施の形態１）
携帯報知器１０００は個人ごとに所持していて、常時携帯しておくことを想定しており、常時携帯するに困らない形状（例えば、ペンダント型、キーホルダ型、ネクタイピン型、バッジ型）であって、小さな電池を内蔵して、非常に小さくて軽量なものであることを想定している。この携帯報知器１０００を持っているだけで、モニター対象機器である例えば洗濯脱水乾燥機２０００との距離に応じて、さまざまな情報が提供されることを想定している。
【００１９】
図１は、本発明の洗濯脱水乾燥機モニターシステムの構成一例を示す図である。図１において、携帯報知器１０００は人が携帯して移動するための端末であって、家庭内に設置された洗濯脱水乾燥機２０００と小電力無線通信することを想定している。
【００２０】
携帯報知器１０００は、第１の通信手段１００と、それらを含めて全体を制御する第１の制御手段１１０と、さまざまな報知をする報知手段１２０とを具備している。
【００２１】
報知手段１２０の発生する報知は、音声によるもの、あるいは、光によるもの、あるいは、振動によるもの、あるいは、それらに文字表示を加えたものが考えられ、それらを組み合わせたものであっても構わないし、報知の種類も、注意、警告という形で複数あって、状況に応じて（例えば危険度合いが高いほど激しく報知するなど）使い分けるといった
ことも考えられる。
【００２２】
洗濯脱水乾燥機２０００は、洗濯を行うための洗濯脱水乾燥槽５００と、洗濯脱水乾燥槽５００へ洗濯物を出し入れするための洗濯物取り出し口７００と、その洗濯物取り出し７００を開け閉めするための蓋６００と、その蓋７００の開閉を探知する開閉スイッチ８００と、洗濯を行う洗濯脱水乾燥促進手段９００と、第２の通信手段２００と、使用者への報知を行なうための第２の報知手段２２０と、洗濯脱水乾燥の作業を開始させるための開始手段２３０と、これら全体を制御する第２の制御手段２１０とを具備している。
【００２３】
なお、第２の制御手段２１０は時計手段を内部に具備しており、一定時間（例えば６０秒）ごとの動作、あるいは、一定時刻（例えば毎分）ごとの通信を行うために、この内蔵の時計手段を用いている。
【００２４】
携帯報知器１０００と、洗濯脱水乾燥機２０００とは、たとえば数十メートル以内で通信可能な遠距離通信と、たとえば数十センチ以内で通信可能な近距離通信とを切り替えながら、常時もしくは定期的、あるいは、一定時刻ごとに通信しあっている（通信距離を変更する仕組みについては後述）。
【００２５】
通常の使い方においては、洗濯脱水乾燥が終了した時点で、第２の制御手段２１０が第２の通信手段２００を介して、数十メートル以内で通信可能な遠距離通信で携帯報知器１０００に洗濯脱水乾燥が終了したことを示す信号を送り、この信号を受けた携帯報知器１０００においては、洗濯脱水乾燥終了であることを第１の報知手段から報知することが出来る。
【００２６】
このようにして、洗濯脱水乾燥機２０００から多少離れた場所にいても、洗濯脱水乾燥が終わったことを探知できるので利便性が増す。
【００２７】
先ほどから述べてきたように、携帯報知器１０００は非常に軽量で衣類などに常時身につけていることになるので、そのまま衣類と一緒に洗濯脱水乾燥機に入れてしまう心配がある。携帯報知器１０００は電池を内蔵しており、電池交換が必要であるので、完全に防水構造にすることは必ずしも容易ではなく、また、洗濯脱水乾燥機には脱水乾燥工程を含むものもあるので、電子機器で構成された携帯報知器１０００を、脱水による高速回転や、温風乾燥による高温にさらすことは消して好ましいことではなく、永久破壊に繋がることもありうる。
【００２８】
そのため、洗濯脱水乾燥槽５００に入れられた段階で、それを探知して、使用者に報知することも非常に大切になってくる。すなわち、洗濯を開始しようとして開始手段２３０を押した時に、あるいは、蓋７００を閉じようとした時に、あるいはまた、洗濯槽に注水する前に、携帯報知器１０００と、洗濯脱水乾燥機２０００とは遠距離通信ではなく、数十センチ以内でしか通信できない近距離通信を行う。すなわち、両者が近距離通信で通信を行えるということは、洗濯脱水乾燥機２０００の中に携帯報知器１０００が入れられている可能性が高いということで、第２の制御手段２１０が第２の報知手段２００を介して、使用者への報知を行い、注意を喚起する。もちろん、この時に、携帯報知器１０００においても、同時に第１の報知手段１２０から報知することも考えられる。
【００２９】
特に、洗濯脱水乾燥の作業を開始しようとして、使用者が開始手段２３０を押して、第２の制御手段２１０がそれを認識した時点で、あるいはまた、洗濯脱水乾燥機２０００の蓋６００が閉じられたことを開閉スイッチ８００が探知して、第２の制御手段２１０がそれを認識した時点で、携帯報知器１０００との近距離通信を試みて、通信可能であったという時には、即座に第２の報知手段２２から警報を報知して、洗濯脱水乾燥槽５００の中
に携帯報知器１０００が紛れ込んでいるかもしれないことを、使用者に知らしめることは、効果的である。まさに洗濯しようと蓋を閉じた時点で警告を受けることにより、難を逃れることが期待できるからである。もちろん、この時に、携帯報知器１０００においても、同時に第１の報知手段１２０から警報を報知することも同様に効果的である。
【００３０】
ここまでの説明では、携帯報知器１０００から報知することを説明してきたが、同時に第２の制御手段により、洗濯脱水乾燥の進行を中止してしまうということも有益である。
【００３１】
いずれにしても、洗濯脱水乾燥を開始する以前に携帯報知器の洗濯脱水乾燥機への混入を探知することが目的であるので、洗濯脱水乾燥動作を行う以前に、第２の制御手段２１０が内蔵する時計手段を用いて、定期的、あるいは、一定時刻ごとに前記第１の通信手段と、前記第２の通信手段とが、お互いに通信を行い、近距離通信で通信できるかどうかを探知して、通信できた（探知できた）時点で同様に報知することでも構わないし、報知すると共に同時に洗濯脱水乾燥の進行を中止してしまうということも考えられる。
【００３２】
次に、通信距離の制御方法について、図２を用いて説明する。
【００３３】
図２は、第１の通信手段１００と、第２の通信手段２００とに関して、詳細な内部構成を示した図である。
【００３４】
図２において、第１の通信手段１００は、（送信信号を減衰させる）第１の減衰手段１０と、第１の送信手段１１と、第１の受信手段１２と、第１の通信制御手段１３とを具備しており、第２の通信手段２００は、（受信信号を減衰させる）第２の減衰手段２０と、第２の送信手段２１と、第２の受信手段２２と、第２の通信制御手段２３とを具備している。
【００３５】
なお、第１の減衰手段１０と第２の減衰手段２０は減衰の強度を外部からの制御により変化させることが出来るものであり、それぞれの減衰手段において段階的に減衰の強度を変更することにより、例えば次のような電波強弱による通信距離制御を実施することができる。
１）数十センチ以内で通信可能な近距離通信（減衰強）
２）数十メートル以内で通信可能な遠距離通信（減衰なし）。
【００３６】
なお、第１の減衰手段１０だけで十分な効果が得られるが、より厳密な近距離通信を実現するために、第２の減衰手段２０も同時に用いてもかまわない。
【００３７】
ここで、減衰させて近距離通信でしか通信できなくなった場合でも、問題なく長距離通信などに復帰できるように、第２の通信手段２００の送信信号と、第１の通信装置１００の受信信号は一切減衰させることなく常時通信可能となるように構成している。
【００３８】
すわなち、第２の通信手段２００の送信信号から第１の通信装置１００には、上記の通信距離制御モードにかかわらず常時遠距離通信（減衰なし）で通信できるようになっているので、第２の通信手段２００からの指示により、第１の通信装置１００において第２の減衰手段２０を制御して第１の通信装置１００の送信信号の電波の強度を変化させることが出来る。
【００３９】
なお、ここまでの説明では、
１）数十センチ以内で通信可能な近距離通信
２）数十メートル以内で通信可能な遠距離通信
といった電波強弱による通信距離を定義してきたが、必ずしもこれに拘る必要は無い。
【００４０】
すなわち、数百メートルを遠距離通信として、十数センチ以内の近距離通信といった距離に置き換えても何ら問題はなく、同様の効果が得られる。
【００４１】
なお、本実施の形態で説明した制御手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【００４２】
なお、本実施の形態では小電力無線通信で説明したが、これに限らないし、微弱電波を用いてもかまわないし、実施の形態１において洗濯脱水乾燥機２０００の側に第１の通信手段を、携帯報知器１０００の側に第２の通信手段を備えるようにしてもよい。
【００４３】
また、通信距離の段階的な制御を行う回路構成は図２に限定しない。
【００４４】
なお本実施の形態は、洗濯脱水乾燥機で説明したが、洗濯脱水機や乾燥機のみであっても構わない。
【産業上の利用可能性】
【００４５】
以上のように、本発明の洗濯脱水乾燥機モニターシステムと、そのプログラムは、これにより、洗濯脱水乾燥機による洗濯脱水乾燥が終了した時点で、洗濯脱水乾燥機の近くにいなかった場合でも可能な限りの遠距離通信で、洗濯脱水乾燥終了したことを使用者に報知することが出来る一方で、携帯報知器が洗濯脱水乾燥機内に存在した場合には、警報を報知するので、誤って衣類などに取り付けたまま洗濯脱水乾燥機で洗ってしまうことを未然に防ぐことが出来る。携帯報知器は非常に小さく、身につけていることを使用者に意識させない軽量なものであるがゆえに、このように警報を報知することにより、誤って洗濯脱水乾燥させることなく、携帯報知器の故障などの無用なトラブルを避けることが期待できる。
【図面の簡単な説明】
【００４６】
【図１】本発明の実施の形態１における洗濯脱水乾燥機モニターシステムの構成の一例図
【図２】本発明の実施の形態１における第１の通信手段と、第２の通信手段の詳細内部構成の一例図
【符号の説明】
【００４７】
１０  第１の減衰手段
１１  第１の送信手段
１２  第１の受信手段
１３  第１の通信制御手段
２０  第２の減衰手段
２１  第２の送信手段
２２  第２の受信手段
２３  第２の通信制御手段
１００  第１の通信手段
１１０  第１の制御手段
１２０  第１の報知手段
２００  第２の通信手段
２１０  第２の制御手段（時計手段を内蔵）
２２０  第２の報知手段
２３０  開始手段
５００  洗濯脱水乾燥槽
６００  蓋
７００  洗濯物取り出し口
８００  開閉スイッチ
９００  洗濯脱水乾燥促進手段
１０００  携帯報知器
２０００  洗濯脱水乾燥機
【図１】
2007037616.tif 000003
【図２】
2007037616.tif 000004